(57)【要約】【課題】構成部品点数を少なく、また羽根車の配設スペースを小さくでき、かつ装置内を流下するオゾン水の流動抵抗を小さくすることができるオゾン水生成装置を提供する。【解決手段】オゾン水生成装置１では、回転軸を介して発電機２５を駆動するための第１の羽根車５と、水道水とオゾンとを撹拌するための第２の羽根車１０とが一体となっているので、部品の点数を削減でき、装置の配設スペースを小さくすることができる。また、ケース３０内には、第１の流路と第２の流路とが螺旋状となって形成されており、オゾン水の流路を短縮することができるので、オゾン水の流動抵抗を抑えることができ、第１の羽根車による発電、及び第２の羽根車によるオゾンの溶解を効率的に行うことができる。【選択図】　図２
2004041826.tif 000002
【特許請求の範囲】
【請求項１】
水道水にオゾンを溶解させてオゾン水を生成するオゾン水生成装置であって、
前記水道水の水圧を受けて回転する第１の羽根車と、
当該第１の羽根車の回転力によって駆動され、発電する発電機と、
当該発電機が発生する電力によってオゾンを発生させるオゾン発生器と、
前記水道水の流速を増加させ、前記オゾン発生器で発生したオゾンを前記水道水中に吸引混合するアスピレータと、
当該アスピレータによって前記水道水中に吸引混合されたオゾンと前記水道水とをさらに撹拌し、オゾンを前記水道水中に溶解させる第２の羽根車と
を備え、
前記第１の羽根車と前記第２の羽根車とが一体化され、共通の軸を中心として回転可能に、同一のケース内に格納されていることを特徴とするオゾン水生成装置。
【請求項２】
前記ケースは、平面視円形のドーム形状に形成され、底面の中央部にはオゾン水排出口が形成され、
また、前記ケース内部は、前記第１の羽根車が収容される第１の流路と、
当該第１の流路の内側下方に設けられ、前記第２の羽根車が収容される第２の流路とを備え、
前記第１の流路の底面は、略水平に形成され、当該第１の流路の底面には、当該第１の流路と前記第２の流路とを部分的に連通させて当該第１の流路を流れるオゾン水を前記第２の流路に案内する第１の傾斜凹部が設けられ、
前記第２の流路の底面は、内周側が外周側よりも低くなった漏斗の内面状に形成され、当該第２の流路の底面には、当該第２の流路と前記オゾン水排出口とを部分的に連通させて当該第２の流路を流れるオゾン水を前記オゾン水排出口に案内する第２の傾斜凹部が設けられていることを特徴とする請求項１に記載のオゾン水生成装置。
【請求項３】
前記第１の羽根車には、前記第２の流路との対向面に前記軸と略平行な方向に貫通した貫通孔が穿設されていることを特徴とする請求項１又は２に記載のオゾン水生成装置。
【発明の詳細な説明】
【０００１】
【発明の属する技術分野】
本発明は、オゾン水生成装置に関し、詳細には、水道水にオゾンを溶解させてオゾン水を生成するオゾン水生成装置に関する。
【０００２】
【従来の技術】
従来、オゾン水生成装置には、水道水の水圧を受けて回転する第１の羽根車と、この第１の羽根車の回転力を受けて駆動され、電力を発生する発電機と、発電機で発生した電力から得た高電圧によりオゾンを生成するオゾン発生器とが設けられている。オゾン発生器で生成されたオゾンは、アスピレータによって水道水中に吸引混合され、オゾンが吸引混合された水道水は、第２の羽根車によってさらに撹拌されるようになっている。即ち、水道水は、自身の水圧で発電用の第１の羽根車を回転させて電力を発生させ、オゾンが吸引混合された水道水は、撹拌用の第２の羽根車の回転によって撹拌されて、水道水にオゾンが溶解した状態となる。
【０００３】
【発明が解決しようとする課題】
しかしながら、上記のような従来技術では、第１の羽根車の機能と第２の羽根車の機能とが違うために２つの羽根車を個別に設定しており、部品の点数が増加し、羽根車及び装置の配設スペースが大きくなるという問題があった。また、オゾン水が２つの羽根車間を流下するので、オゾン水の流路が長く延び、流動抵抗が大きくなるという問題があった。
【０００４】
本発明は、上記課題を解決するためになされたものであり、構成部品点数を少なく、また羽根車の配設スペースを小さくでき、かつ装置内を流下するオゾン水の流動抵抗を小さくすることができるオゾン水生成装置を提供することを目的とする。
【０００５】
【課題を解決するための手段】
上記目的を達成するために、請求項１に記載のオゾン水生成装置は、水道水にオゾンを溶解させてオゾン水を生成するオゾン水生成装置であって、前記水道水の水圧を受けて回転する第１の羽根車と、当該第１の羽根車の回転力によって駆動され、発電する発電機と、当該発電機が発生する電力によってオゾンを発生させるオゾン発生器と、前記水道水の流速を増加させ、前記オゾン発生器で発生したオゾンを前記水道水中に吸引混合するアスピレータと、当該アスピレータによって前記水道水中に吸引混合されたオゾンと前記水道水とをさらに撹拌し、オゾンを前記水道水中に溶解させる第２の羽根車とを備え、前記第１の羽根車と前記第２の羽根車とが一体化され、共通の軸を中心として回転可能に、同一のケース内に格納されていることを特徴とする。
【０００６】
この構成のオゾン水生成装置は、水道水の水圧を受けて回転する第１の羽根車と、アスピレータによって水道水中に吸引混合されたオゾンと水道水とをさらに撹拌し、オゾンを水道水中に溶解させる第２の羽根車とを備えており、第１の羽根車と第２の羽根車とが一体化され、共通の軸を中心として回転可能に同一のケース内に格納されているので、装置を構成する部品の点数を削減でき、装置の配設スペースを小さくすることができる。
【０００７】
また、請求項２に記載のオゾン水生成装置は、請求項１に記載のオゾン水生成装置の構成に加えて、前記ケースは、平面視円形のドーム形状に形成され、底面の中央部にはオゾン水排出口が形成され、また、前記ケース内部は、前記第１の羽根車が収容される第１の流路と、当該第１の流路の内側下方に設けられ、前記第２の羽根車が収容される第２の流路とを備え、前記第１の流路の底面は、略水平に形成され、当該第１の流路の底面には、当該第１の流路と前記第２の流路とを部分的に連通させて当該第１の流路を流れるオゾン水を前記第２の流路に案内する第１の傾斜凹部が設けられ、前記第２の流路の底面は、内周側が外周側よりも低くなった漏斗の内面状に形成され、当該第２の流路の底面には、当該第２の流路と前記オゾン水排出口とを部分的に連通させて当該第２の流路を流れるオゾン水を前記オゾン水排出口に案内する第２の傾斜凹部が設けられていることを特徴とする。
【０００８】
この構成のオゾン水生成装置では、請求項１に記載の発明の作用に加えて、ケースは平面視円形のドーム形状に形成され、ケース内の第１の羽根車が収容される第１の流路は、その底面が略水平に形成され、当該底面には、第１の流路と第２の流路とを部分的に連通させて第１の流路を流れるオゾン水を第２の流路に案内する第１の傾斜凹部が設けられている。また、ケース内の第２の羽根車が収容される第２の流路は、その底面が、内周側が外周側よりも低くなった漏斗の内面状に形成され、当該底面には、第２の流路とオゾン水排出口とを部分的に連通させて第２の流路を流れるオゾン水をオゾン水排出口に案内する第２の傾斜凹部が設けられている。即ち、第１の流路と第２の流路とによって螺旋形状が形成されており、オゾン水の流路を従来より短縮することができる。また、それによってオゾン水の流動抵抗が低減されるので、第１の羽根車による発電、及び第２の羽根車によるオゾンの溶解を効率的に行うことができる。
【０００９】
また、請求項３に記載のオゾン水生成装置は、請求項１又は２に記載のオゾン水生成装置の構成に加えて、前記第１の羽根車には、前記第２の流路との対向面に前記軸と略平行な方向に貫通した貫通孔が穿設されていることを特徴とする。
【００１０】
この構成のオゾン水生成装置では、請求項１又は２に記載の発明の作用に加えて、第１の羽根車には、第２の流路との対向面に、第１及び第２の羽根車の共通の回転軸と略平行な方向に貫通した貫通孔が穿設されているので、第２の流路内を流動するオゾン水の圧力で第１の羽根車が浮いてしまうのが防止され、両羽根車が軸方向にずれることなく円滑に回転できる。
【００１１】
【発明の実施の形態】
以下、本発明を具体化したオゾン水生成装置の一実施形態について、図面を参照して説明する。まず、図１乃至図３を参照して、オゾン水生成装置１の構成について説明する。ここで、図１は、オゾン水生成装置１を模式的に示す平面図であり、図２は、図１におけるＡ−Ａ線矢視方向断面図であり、図３は、図１におけるＢ−Ｂ線矢視方向断面図である。図１乃至図３に示すように、オゾン水生成装置１は、鉛直方向に延びた略円筒形状の本体部２を有し、図２及び図３には図示しないが、本体部２の高さ方向略中央部には、水道水とオゾンとの流入口を有するアスピレータ２０が本体部２の軸心８０に対して略垂直となるように設けられている。アスピレータ２０の構造については後述する。
【００１２】
また、本体部２の内部には、アスピレータ２０の本体部２側開口部（図示外）に対応して、水道水の圧力によって回転可能な羽根車４が設けられている。羽根車４は、第１の羽根車５と第２の羽根車１０とがそれぞれ上下に重なって一体となって形成されている。第１の羽根車５は、所定厚を有する略円盤形状を、第２の羽根車１０は、所定厚を有する略ヒトデ型形状を有し、羽根車４の中心が本体部２の軸心８０と重なる位置に設けられた回転軸（図示外）に貫通されて回転するようになっている。また、羽根車４は、上側部材３１と下側部材３２とからなるケース３０内に共に格納されている。ケース３０は、外観略円柱型の筐体形状を有し、本体部２の高さ方向略中央部に位置しており、その外側面３０ａが本体部２の内周面２ｂに密接した状態となっている。アスピレータ２０の本体部２側開口部に対応して設けられたケース３０内には、水道水が充満することになるが、当該水道水は、後述するオゾン発生器で発生したオゾンが溶解された状態で下側部材３２の底部に設けられたオゾン水排出口８２から下方に流出することになる。
【００１３】
また、図２及び図３に示すように、本体部２内部のケース３０上方には、ケース３０内に設けられた羽根車４の回転力によって駆動され、発電する発電機２５が設けられている。発電機２５は、羽根車４の回転軸（図示外）を介して羽根車４と連結されている。そして、羽根車４の第１の羽根車５の回転が前記回転軸を介して発電機２５に伝えられることにより、発電機２５が所定の速度で駆動されて直流電圧（電力）を出力する。発電機２５で発生した電力を受けて、図示外の変圧器に誘起された高電圧がオゾンを発生するオゾン発生器（図示外）に印加されることになる。
【００１４】
そして、図１に示すように、オゾン発生器（図示外）で発生したオゾンは、アスピレータ２０のオゾン吸引口２４から水道水中に吸引混合されることになる。アスピレータ２０は、略円柱形状を有し、図示外の水道栓側に開口した栓側開口部２１と、オゾン水生成装置１の本体部２側に開口した本体部２側開口部（図示外）とを備え、両開口部が流路２３によって連通した状態となっている。流路２３の半ばには、オゾンが吸引されるオゾン吸引口２４が設けられており、流路２３は、栓側開口部２１からこのオゾン吸引口２４に向かって急激に狭窄した形状となっている。これは、オゾン吸引口２４部で水道水の流速を増加させるためであって、その流勢によって外部からオゾン吸引口２４を介して空気（オゾン）が吸引されることになる。オゾンが吸引混合された水道水は、ケース３０内に流入し、第２の羽根車１０によってさらに撹拌されることにより水とオゾンとが高い効率で溶解することになる。
【００１５】
次に、図４及び図５を参照して、第１の羽根車５及び第２の羽根車１０の構造について説明する。ここで、図４は、羽根車４の平面図であり、図５は、図４におけるＣ−Ｃ線矢視方向断面図である。図４及び図５に示すように、羽根車４は、上側に位置する第１の羽根車５と、下側に位置する第２の羽根車１０とが一体形成されて構成されている。第１の羽根車５は、所定厚を有する略円盤形状の基部５ａと、当該基部５ａの円周側面５ａ１から突出した複数の羽根部５ｂとから構成されている。本実施の形態の第１の羽根車５では、基部５ａの円周側面５ａ１から６つの羽根部５ｂが均等に突出している。羽根部５ｂは、所定厚と、基部５ａの板厚と同一の高さと、所定の幅とを有した壁状部材であり、基部５ａの周縁部から法線方向外向きに放射状に伸ばした仮想の放射面に対して、第１の羽根車５の回転方向（図中時計回りの方向）とは反対側に所定角度だけ傾いた形状となっている。
【００１６】
また、第２の羽根車１０は、第１の羽根車５の基部５ａの略３分の１の径と所定厚とを持った略円盤形状の基部１０ａと、当該基部１０ａの円周側面１０ａ１から突出した複数の羽根部１０ｂとから構成されている。本実施の形態の第２の羽根車１０では、基部１０ａの円周側面１０ａ１から６つの羽根部１０ｂが均等に突出している。羽根部１０ｂは、所定厚を有した壁状部材であり、幅方向で基部５ａのほぼ周縁部まで延びており、高さ方向で基部１０ａの周縁から外方へ向かって第１の羽根車５側に僅かに傾斜した形状となっている。そして、羽根部１０ｂは、第１の羽根車５の羽根部５ｂと同様に、基部１０ａの周縁部から法線方向外向きに放射状に伸ばした仮想の放射面に対して、第２の羽根車１０の回転方向（図中時計回りの方向）とは反対側に所定角度だけ傾いた形状となっている。第２の羽根車１０は、第１の羽根車５に比べて、その基部が小さく、羽根部の表面積が大きくなっている。
【００１７】
第１の羽根車５の基部５ａの周縁部において、任意の羽根部５ｂと当該羽根部５ｂと隣り合う羽根部５ｂとの間に、第２の羽根車１０の羽根部１０ｂの先端が位置するようになっている。詳細には、基部５ａの周縁部において、任意の羽根部５ｂと当該羽根部５ｂと隣り合う羽根部５ｂとの間の円周方向略中央部に第２の羽根車１０の羽根部１０ｂの先端が位置するようになっている。即ち、基部５ａ上の、任意の２つの羽根部５ｂで囲まれた領域は、第２の羽根車１０の羽根部１０ｂによって略２等分された状態となっている。さらに、第１の羽根車５と第２の羽根車１０とは、それぞれの中心が軸孔４ａによって貫通されている。軸孔４ａは、真円の一カ所が直線状に切り欠かれた長さ方向断面形状を有し、自身に挿入される回転軸（図示外）との力の伝達効率がよくされている。
【００１８】
また、第１の羽根車５の基部５ａ上において、第２の羽根車１０の任意の２つの羽根部１０ｂに囲まれた領域の略中央部には、それぞれ羽根車４の軸心方向（図中奥行き方向）と略平行に貫通された貫通孔１３が穿設されている。貫通孔１３は、各領域に対応して設けられており、基部５ａには計６つの貫通孔１３が設けられている。
【００１９】
次に、図２及び図３、図６及び図７を参照して、羽根車４が格納されるケース３０について説明する。図６に下側部材３２の平面図を、図７に下側部材３２の一部分の斜視図をそれぞれ示す。図６及び図７に示すように、下側部材３２は、平面視略円形で、図６の奥行き方向、図７の上下方向に所定の板厚を持った略円盤形状を有している。また、下側部材３２の周縁部には、周方向断面略直角に切り欠かれた切り欠き５５が形成されている。この切り欠き５５には、後述する上側部材３１の周縁部に形成された環状凸部６０が嵌合することになる。下側部材３２の軸心９２部には、下側部材３２の板厚方向に貫通された所定径のオゾン水排出口８２が穿設されている。オゾン水排出口８２の周辺部には、下側部材３２の上面側から下方に向かって漏斗状に凹んだ第２の流路４６が形成されている。第２の流路４６は、平面視で、下側部材３２の略半分の径を持った略円形形状を有しており、オゾン水排出口８２を中心に、下側部材３２の上面側に向かって駆け上がった傾斜面４６ａを有している。この第２の流路４６には、羽根車４の第２の羽根車１０が収容されることになる。
【００２０】
第２の流路４６の傾斜面４６ａは、オゾン水排出口８２側から下側部材３２の上面側外方に向かって傾斜していると共に、図中時計回り方向に進むに従って下方に傾斜した形状を有している。詳細には、傾斜面４６ａ上には、下側部材３２の軸心９２から任意の方向に向かって延出させた基準面５０が形成されており、当該基準面５０の上側縁と傾斜面４６ａとの交線５１（稜線）から前記時計回り方向に略１２０°進んだ位置における半径方向に渡る基準線５２を基準として、オゾン水排出口８２に向かって半径方向に渡ってさらに下方に傾斜した傾斜凹部４７が形成されている。ここで、傾斜面４６ａは、ケース３０内に羽根車４を収納した際、交線５１と基準線５２とに囲まれた領域で、前述した第２の羽根車１０の羽根部１０ｂの傾斜と略平行になる程度の傾斜角を有している。また、傾斜凹部４７の端縁は、オゾン水排出口８２の内壁８２ａまで延びており、傾斜凹部４７の端縁におけるオゾン水排出口８２の高さ（長さ）が、基準線５２の位置に対応する箇所でのオゾン水排出口８２の高さ（長さ）に対して略半分となるように、傾斜凹部４７は段階的に傾斜している。
【００２１】
下側部材３２の上面側においては、第２の流路４６の周縁部から下側部材３２の周縁部までの間の領域に、円環形状の水平面３６ａが周方向に渡って形成されている。水平面３６ａは、下側部材３２の軸心９２に対して直交しており、その一部には、傾斜凹部３７が形成されている。詳細には、水平面３６ａ上において、第２の流路４６の傾斜面４６ａ上で交線５１（稜線）と基準線５２とに囲まれた領域に対応した箇所に傾斜凹部３７が形成されている。傾斜凹部３７は、所定の幅をもって円周方向の略３分の１の範囲で延びており、前記軸心９２側の側縁、即ち第２の流路４６側の側縁が、当該側縁と対向する側縁よりも低くなるように形成されている。この傾斜凹部３７は、第２の流路４６と連通している。
【００２２】
また、図２及び図３に示すように、ケース３０の上側部材３１は、下側部材３２に嵌め合わされる部材であって、下側部材３２の径と略同一の径を持つ円筒形状の嵌合部３１ａと、嵌合部３１ａの上側開口部を覆って羽根車４に上方から当接する略円盤状の当接部３１ｂと、当該当接部３１ｂの中心部からさらに上方に向かって延設された円筒部３１ｃとから構成されている。また、嵌合部３１ａの周縁部には、下側部材３２の周縁部に形成された切り欠き５５に嵌合する環状凸部６０が設けられている。羽根車４をケース３０内に格納した状態では、第１の流路３６に対応して第１の羽根車５が位置し、第２の流路４６に対応して第２の羽根車１０が位置しており、第１の羽根車５と上側部材３１の当接部３１ｂとが接した状態となっている。そして、嵌合部３１ａと円環状の水平面３６ａと当接部３１ｂとに囲まれた領域が、第１の羽根車５を収容する第１の流路３６となっている。
【００２３】
図１乃至図３に示すように、水道栓（図示外）から水道水を流出させると、当該水道水は、アスピレータ２０を通過してケース３０内に流入する。ケース３０内に流入した水道水は、ケース３０内に形成された第１の流路３６内を流下する。このとき、水道水が第１の羽根車５の羽根部５ｂに当たって、その水圧で第１の羽根車５を図１での時計回り方向に回転させる。第１の羽根車５の回転は、羽根車４の回転軸（図示外）を介して発電機２５に伝えられ、発電機２５が所定の速度で駆動されて直流電圧（電力）を出力する。そして、発電機２５で発生した電力を受けて、図示外の変圧器に誘起された高電圧がオゾン発生器（図示外）に印加されることによってオゾンが発生する。オゾン発生器で発生したオゾンは、アスピレータ２０のオゾン吸引口２４から水道水中に吸引混合されることになる。
【００２４】
水道水中にオゾンが吸引混合されて生成されたオゾン水は、ケース３０内に流入し、水道水と同様にケース３０内に形成された第１の流路３６内を流下する。このとき、水道水が第１の羽根車５の羽根部５ｂに当たって、その水圧で第１の羽根車５を図１での時計回り方向に回転させる。それと共に、第１の羽根車５と一体となった第２の羽根車１０が前記時計回り方向に回転する。図２、図４及び図７に示すように、オゾン水は、ケース３０内において、第１の流路３６の水平面３６ａ上を前記時計回り方向に案内されつつ流下した後、水平面３６ａ上に形成された傾斜凹部３７内に流入することになる。傾斜凹部３７と第２の流路４６とは連通しているので、オゾン水は傾斜凹部３７から第２の流路４６に落ち込み、第２の流路４６の傾斜面４６ａに形成された傾斜凹部４７上を流下する。
【００２５】
第２の流路４６では、オゾン水は、第２の羽根車１０の羽根部１０ｂに当たりつつ傾斜凹部４７上を流下することで、羽根部１０ｂに囲まれた領域で水道水とオゾンとが撹拌されるようになっている。第２の流路４６の交線５１と基準線５２とに囲まれた領域では、傾斜面４６ａと第２の羽根車１０の羽根部１０ｂとが接しているので、オゾン水が排出されることはなく、そこからオゾン水が傾斜凹部４７上を流下して傾斜凹部４７とオゾン水排出口８２とが連通した箇所まで流下した後にオゾン水排出口８２から排出されることになる。
【００２６】
以上説明したように、本実施の形態のオゾン水生成装置１では、回転軸を介して発電機２５を駆動するための第１の羽根車５と、水道水とオゾンとを撹拌するための第２の羽根車１０とが一体となっているので、部品の点数を削減でき、装置の配設スペースを小さくすることができる。また、ケース３０内には、第１の流路３７と第２の流路４６とが螺旋状となって形成されているので、オゾン水の流路を短縮することができ、それによってオゾン水の流動抵抗を抑えることができる。従って、第１の羽根車５による発電、及び第２の羽根車１０によるオゾンの溶解を効率的に行うことができる。さらに、第１の羽根車５には、複数の貫通孔１３が周方向に均等に穿設されているので、第２の流路４６内を流動するオゾン水の圧力で第１の羽根車５が浮いてしまうことがなく、羽根車４の円滑な回転を実現できる。
【００２７】
尚、本発明は前記実施の形態に限定されるものではなく、各種の変形が可能である。例えば、ケース内に回転可能に設けられた羽根車の内、水道水とオゾンとを撹拌させる羽根車を、軸方向により延ばした形状として、ケースの下側部材の第２の流路を軸方向により延ばした形状としてもよい。
【００２８】
【発明の効果】
以上説明したように、請求項１に係る発明のオゾン水生成装置は、水道水の水圧を受けて回転する第１の羽根車と、アスピレータによって水道水中に吸引混合されたオゾンと水道水とをさらに撹拌し、オゾンを水道水中に溶解させる第２の羽根車とを備えており、第１の羽根車と第２の羽根車とが一体化され、共通の軸を中心として回転可能に同一のケース内に格納されているので、装置を構成する部品の点数を削減でき、装置の配設スペースを小さくすることができる。
【００２９】
また、請求項２に係る発明のオゾン水生成装置は、請求項１に記載の発明の効果に加えて、ケースは平面視円形のドーム形状に形成され、ケース内の第１の羽根車が収容される第１の流路は、その底面が略水平に形成され、当該底面には、第１の流路と第２の流路とを部分的に連通させて第１の流路を流れるオゾン水を第２の流路に案内する第１の傾斜凹部が設けられている。また、ケース内の第２の羽根車が収容される第２の流路は、その底面が、内周側が外周側よりも低くなった漏斗の内面状に形成され、当該底面には、第２の流路とオゾン水排出口とを部分的に連通させて第２の流路を流れるオゾン水をオゾン水排出口に案内する第２の傾斜凹部が設けられている。即ち、第１の流路と第２の流路とによって螺旋形状が形成されており、オゾン水の流路を従来より短縮することができる。また、それによってオゾン水の流動抵抗が低減されるので、第１の羽根車による発電、及び第２の羽根車によるオゾンの溶解を効率的に行うことができる。
【００３０】
また、請求項３に係る発明のオゾン水生成装置は、請求項１又は２に記載の発明の効果に加えて、第１の羽根車には、第２の流路との対向面に、第１及び第２の羽根車の共通の回転軸と略平行な方向に貫通した貫通孔が穿設されているので、第２の流路内を流動するオゾン水の圧力で第１の羽根車が浮いてしまうのが防止され、両羽根車が軸方向にずれることなく円滑に回転できる。
【図面の簡単な説明】
【図１】オゾン水生成装置１を模式的に示す平面図である。
【図２】図１におけるＡ−Ａ線矢視方向断面図である。
【図３】図１におけるＢ−Ｂ線矢視方向断面図である。
【図４】羽根車４の平面図である。
【図５】図４におけるＣ−Ｃ線矢視方向断面図である。
【図６】ケース３０の下側部材３２の平面図である。
【図７】ケース３０の下側部材３２の一部分を示す斜視図である。
【符号の説明】
１　　オゾン水生成装置
４　　羽根車
５　　第１の羽根車
１０　　第２の羽根車
１３　　貫通孔
２０　　アスピレータ
２５　　発電機
３０　　ケース
３６　　第１の流路
３７　　傾斜凹部
４６　　第２の流路
４７　　傾斜凹部
【図１】
2004041826.tif 000003
【図２】
2004041826.tif 000004
【図３】
2004041826.tif 000005
【図４】
2004041826.tif 000006
【図５】
2004041826.tif 000007
【図６】
2004041826.tif 000008
【図７】
2004041826.tif 000009